(57)【特許請求の範囲】
【請求項１】
動物から組織のサンプルを切り取るように構成された少なくとも１つの切断部材（２１）を有する採取手段と、
前記サンプルを保存する保存手段と
を備えており、
動物から組織を採取するように構成されている装置であって、
前記採取手段が、前記切断部材（２１）に対して移動可能に構成された押し部材（２３）を備え、
前記押し部材（２３）が、前記サンプルを、前記切断部材（２１）によって切り取った後に前記保存手段に押し入れることを可能にするように構成されており、
前記切断部材（２１）及び前記押し部材（２３）が、円筒形状を有し、かつ一致する軸心を有し、
前記切断部材（２１）が、前記押し部材（２３）のガイドとして用いられるように構成され、
前記保存手段がサンプル管（５１）と管上側部材（５２）とを備え、
前記管上側部材（５２）が、前記サンプルを切断するために前記切断部材に対するストッパ面として作用するように構成された支持部を形成し、かつ前記管上側部材（５２）が、前記押し部材の少なくとも一部を前記保存手段に挿入するように構成された開口を有していることを特徴とする、採取装置。
【請求項２】
前記切断部材（２１）又は該切断部材（２１）の位置を定めたものと同じ回転軸心を有する支持体と、前記押し部材（２３）とが、前記切断部材（２１）の内部における前記押し部材（２３）のスライドを可能にする相補的なスライド案内手段を備えていることを特徴とする、請求項１に記載の採取装置。
【請求項３】
前記押し部材（２３）が、少なくとも１つの保存料を収容する容器を備えていることを特徴とする、請求項１又は２に記載の採取装置。
【請求項４】
前記押し部材の第１の端部が、剛体的な支え面を有していることを特徴とする、請求項１〜３のいずれか一項に記載の採取装置。
【請求項５】
前記サンプルに触れるように構成された前記押し部材（２３）の第２の端部が、透過性の壁を有していることを特徴とする、請求項１〜４のいずれか一項に記載の採取装置。
【請求項６】
前記壁が、ふるいと、少なくとも１つの開口で貫かれた仕切り壁と、膜とを有する一群に含まれていることを特徴とする、請求項５に記載の採取装置。
【請求項７】
前記採取手段が、前記切断部材（２１）を少なくとも部分的に覆う着脱式の保護部材を備えていることを特徴とする、請求項１〜６のいずれか一項に記載の採取装置。
【請求項８】
前記管上側部材（５２）が、前記開口を閉鎖するために、前記押し部材（２３）と強固な結合をするための手段を備えていることを特徴とする、請求項１〜７のいずれか一項に記載の採取装置。
【請求項９】
前記管上側部材（５２）が、中央の開口によって貫かれているフードと、前記管（５１）の縁に支持されるように構成されたフランジとを備えていることを特徴とする、請求項１〜８のいずれか一項に記載の採取装置。
【請求項１０】
動物を識別するように構成されたセットであって、
組織を採取する請求項１〜９のいずれか一項に記載の採取装置と、
少なくとも１つの識別タグと
を備え、
前記組織を採取する採取装置及び前記少なくとも１つの識別タグの各々が、前記動物の特定を可能にする識別子を有していることを特徴とする、セット。
【発明の詳細な説明】
【技術分野】
【０００１】
本発明の分野は、動物を管理及び／又は識別することに関するものである。
【０００２】
より詳細には、本発明は、例えば、後で動物を識別し又は動物の病気を検出すべく、特に、動物の生物学的又は生化学的特徴を有する細胞を保存するために動物から組織を採取することに関する。
【０００３】
本発明は、特に、牛、羊、豚、ヤギ、鳥類、魚、又はより一般的には任意の動物種から組織を採取することを可能にし、この採取を、識別タグの取付けと同時に実施することもまた可能とするものである。
【背景技術】
【０００４】
例えば、病気を検出することによって家畜類の追跡記録を改善するために、特に、食用の動物の素性を保証するために、対象となる動物から組織を採取する１つ以上の作業が、ますます一般的に行なわれるようになってきている。
【０００５】
このような採取は、例えば、誕生時に、及び動物に識別タグを取付ける時に、動物に対して直接的に実施することができる。他のサンプル採取作業は、例えば、病気を検出するために、又はＤＮＡ配列を比較することによって動物の身元を保証するために、動物の生涯全体にわたって実施することができる。そのため、ひとたび動物から採取された組織のサンプルを、保管することが可能となっており、及び／又は分析のために研究機関に送ることが可能となっている。
【０００６】
現状用いられている採取の技術では、視覚的又は電子的であるとよいとされる識別タグを取付ける際に、動物から組織サンプルを採取することが可能となっている。
【０００７】
しかし残念ながら、これらのサンプル採取の技術では、構造及び使用される材料の両方について、既存のタグを変更する必要がある。このような制約が、タグの耐久性の低下や、早期の経年劣化等、タグの性能の問題を生じさせる可能性がある。
【０００８】
識別タグの取付けとは別個独立に実施される組織採取の技術もまた知られている。ＢｉｏｐｓｙｔｅｃＧｍｂｈを代表して出願された特許文献１が、この技術の一例を開示している。
【０００９】
図１に示されるように、この技術は、動物から組織のサンプル１１を切り取って空洞若しくはハウジング内に採取するように構成された切断部材１０を形成しているポンチ、又はこのような切断部材１０を備えているポンチを使用することに依拠したものとなっている。このような目的のために、切断部材１０は、連続的な接触によってその機能を発揮し、かつ鋸歯状に形成された略円形の刃先を有している。
【００１０】
例えば、クランプ等の採取ツールにおける第１の顎に取り付けられたポンチ１０が、ツールの作動時に、動物の皮膚を切り取り、かつツールの第２の顎に取り付けられたマイクロ管１２に少なくとも途中まで挿入される。ポンチ１０は、典型的に、マイクロ管１２の栓として機能するように、マイクロ管１２よりもわずかに小さな直径を有している。従って、サンプル１１を受け取る空洞は、管の内部に向けて開くように構成されているが、サンプルの汚染を防止するために、管の外部に向けては閉じるように構成されている。
【００１１】
これらのサンプル採取の技術によれば、サンプル１１がマイクロ管１２に直接的に挿入されており、その結果、サンプルの汚染の可能性が限定的なものとなっている。
【先行技術文献】
【特許文献】
【００１２】
【特許文献１】欧州特許第１０１４８６１号明細書
【発明の概要】
【発明が解決しようとする課題】
【００１３】
しかし残念ながら、この技術の１つの欠点は、動物の毛がマイクロ管の壁と栓として機能するポンチとの間に挟まれた状態になることによって、容器の不浸透性の問題が生じることが多いということにあり、その結果、サンプルの保存状態が保証されないこととなる。
【００１４】
さらに、ひとたびポンチがマイクロ管に挿入されると、ポンチを引き出し、又は切断することなく、例えば、保存料又は試薬等のような製品を管に追加することが、もはやできなくなってしまう。
【００１５】
この技術の別の欠点は、空洞内の採取された組織サンプルを取り出すために、ポンチを操作しなければならないということにある。このような作業は困難及び／又は複雑なものとなって、ユーザがカットの影響を受ける可能性がある。
【００１６】
よって、動物から組織を採取する技術であって、これら従来技術の欠点のすべてが存在しないような新規な技術について、ニーズが存在している。
【課題を解決するための手段】
【００１７】
本発明は、これらの従来技術の欠点のすべてを有さない新規な技術的解決策として、
動物から組織のサンプルを切り取るように構成された少なくとも１つの切断部材を有する採取手段と、
サンプルを保存する保存手段と
を備え、
動物から組織を採取するように構成された装置の形態について提案するものである。
【００１８】
本発明によれば、採取手段が、切断部材に対して移動可能に構成された押し部材をさらに備え、この押し部材が、サンプルを切断部材によって切り取った後に保存手段に押し入れることを可能にするように構成されている。
【００１９】
このように、本発明は、動物から組織のサンプルを採取する手法であって、ユーザにとって極めて簡単かつ迅速であり、識別タグを同時に取付ける必要が必ずしもない新規な手法を提案するものである。実際、本発明は、組織のサンプルを切り取るための切断部材及びサンプルを保存手段に押し入れる押し部材等、互いに対して移動可能に構成された２つの別々の部材を使用することを提案するものである。
【００２０】
従って、組織の切断及び保存の作業が、サンプルを採取するときに実施されることとなる。
【００２１】
これら２つの作業に別個の部材を用いることは、多くの利点を有している。例えば、組織を切り取り、次いで、サンプルを保存手段に押し込むということが、サンプルの効率的な切断をもたらし、毛が壁と保存手段の栓との間に挟まれた状態になることを防止できる。さらに、これら２つの別個の部材は、より良好な採取を提供するものとなっている。実際には、切断部材が保存手段に挿入されるようには意図されていないため、切断部材のサイズ、すなわち、切断部材の刃先の長さを増やすことが可能であり、その結果、採取されるサンプルのサイズを大きくすることが可能となっている。
【００２２】
一特定の実施形態によれば、切断部材及び押し部材が、回転によって生じるような形状を有し、かつ一致する軸心を有し、切断部材が押し部材のガイドとして用いられるように構成されている。
【００２３】
例えば、切断部材及び押し部材が、円筒形の形状を有し、押し部材の直径が、切断部材の直径よりもわずかに小さくなっているとよい。切断部材は、中空の円筒となっている。そのため、押し部材の一端が切断部材の刃先のレベルを超えて進むまで、押し部材が、回転の軸心方向にて切断部材の内側を移動することができる。
【００２４】
切断部材を、特に、回転によって生じる形状を有し、かつ切断部材と同じ回転軸心を有する支持体に取付けることができる。
【００２５】
特に、同じ回転軸心を有する切断部材又は切断部材の支持体と、押し部材とが、切断部材の内部における押し部材のスライドを可能にする相補的なスライド案内手段を備えている。
【００２６】
別の態様によれば、押し部材が、少なくとも１つの保存料を収容する容器を有している。このような保存料の使用によって、サンプルを乾燥させることが可能となる。
【００２７】
本発明の一特定の特徴によれば、押し部材が、採取ツールの押し棒形成部材によって突かれるように構成された剛体的な支え面を有する第１の端部を備えている。押し部材が円筒である場合、第１の端部が円筒の底となっており、反対側の第２の端部が、サンプルを押すべくサンプルに接触するように構成された円筒の他方の底を構成している。
【００２８】
この第１の端部の支え面が剛体的であることによって、押し部材を採取ツールの押し棒形成部材で突き、又は押すことによって、押し部材を動かすことができる。その結果、押し部材が、自身の回転の軸心に沿った平行移動をするように案内されて、切断部材を通ってスライドすることとなる。
【００２９】
サンプルに触れるように構成された押し部材の第２の端部は、好ましくは、透過性の壁、すなわち、不浸透性でない壁を有している。
【００３０】
壁が透過性であることによって、押し部材の容器に仕込まれた保存料が、サンプルを保護できるようにサンプルの乾燥に関してサンプルに作用することが可能となっている。
【００３１】
さらに、第２の端部に透過性の壁が存在することによって、保存料又は乾燥剤がサンプルに直接触れることがない。実際、サンプルの性質を変化させ、かつ後のサンプルの分析時に問題を引き起こしかねない接触は、防ぐことが好ましい。
【００３２】
この種の不浸透性でない壁は、ふるいと、少なくとも１つの開口で貫かれた仕切り壁と、膜とを有する一群に含まれている。
【００３３】
本発明の別の態様によれば、採取手段が、切断部材を少なくとも部分的に覆う着脱式の保護部材を備えている。
【００３４】
切断部材を覆うこの保護部材は、ユーザが採取手段を取り扱うときにカットの影響を受けることがないように構成されており、また、切断部材の刃を外部の環境から保護することとなる。さらに、保護部材は、押し部材に用意された保存料を周囲の空気から絶縁し、保存料がサンプルの採取後に保存料の機能を適切に果たすことができるように構成されている。
【００３５】
別の実施形態によれば、保存手段が保護部材として使用される構成となっている。すなわち、保存手段が、採取の前における切断部材の保護、及び採取の後におけるサンプルの保存という二重の機能を果たすこととなる。
【００３６】
本発明の別の態様によれば、保存手段が、少なくとも１つの開口を備え、押し部材を、この開口を封じるように採取の際に保存手段に導くことができる。
【００３７】
このようにして、サンプルの汚染の恐れなくサンプルを採取することができる。実際、切断部材からサンプルを取り出すための、又はサンプルを保存手段へと挿入するためのユーザの手による操作を必要とせずに、押し部材及びサンプルが、保存手段に直接挿入されることとなる。
【００３８】
本発明の一特定の実施形態によれば、保存手段が、サンプル管及び管上側部材を備え、この管上側部材が、押し部材に強固に結合する手段を備えている。
【００３９】
特に、管上側部材が、中央の開口によって貫かれているフードと、管の縁に支持されるように構成されたフランジとを備えている。
【００４０】
管上側部材の使用は、多くの利点を提供するものである。まず第１に、動物の組織を正確に切断するために切断部材を当接させることができる支持部をもたらす。また、例えば、管上側部材に押し部材を嵌込み、又は留めることによって、管を閉じることができる。さらには、そのような管上側部材の存在は、サンプルだけが管の内部に残るように、管上側部材を取り除くことによって、研究機関において管の開放を自動化することを可能にする。
【００４１】
さらに、本発明は、動物の識別のために構成されたセットであって、
組織を採取する上述のような装置と、
少なくとも１つの識別タグと
を備え、
前記採取装置及び前記少なくとも１つの識別タグの各々が、前記動物の特定を可能にする識別子を有しているセットに関する。
【００４２】
例えば、この種のセットは、上述のような採取装置と、視覚識別タグ（例えば、耳標）と、電子識別タグとを含んでいる。これら３つの構成要素が、動物についての同じ識別番号又は相互に関連付けられた識別子を保有することができる。いずれの場合も、これらの識別子が、同じ情報を符号化するために使用され、すなわち、同じ動物を特定するために使用されることとなる。
【００４３】
当然ながら、動物を識別するように構成されたこの種のセットは、採取装置及び視覚タグ、採取装置及び電子タグ、又は動物の特定及び／若しくは動物の遺伝的監視を可能にする任意の他の要素若しくは製品のみを含んでいてもよい。
【００４４】
本発明の他の特徴及び利点が、すべてを述べ尽くす例ではない単純な例示として提示される以下の特定の実施形態の説明、及び添付の図面から、さらに明確にされている。
【図面の簡単な説明】
【００４５】
【図１】組織のサンプルを採取する従来技術による装置を示している。
【図２Ａ】本発明の一実施形態による採取手段を示している。
【図２Ｂ】本発明の一実施形態による採取手段を示している。
【図３】支持体に取付けられた切断部材の例を示している。
【図４Ａ】押し部材の例を示している。
【図４Ｂ】押し部材の例を示している。
【図５】本発明の一実施形態による保存手段を示している。
【図６】組織のサンプルを切り抜くように構成された本発明の一実施形態による管上側部材の使用を示している。
【図７】サンプルの採取後の保存手段を示している。
【図８Ａ】サンプル採取の種々の段階における本発明の一実施形態による採取装置を使用する採取ツールの例を示している。
【図８Ｂ】サンプル採取の種々の段階における本発明の一実施形態による採取装置を使用する採取ツールの例を示している。
【図８Ｃ】サンプル採取の種々の段階における本発明の一実施形態による採取装置を使用する採取ツールの例を示している。
【図８Ｄ】サンプル採取の種々の段階における本発明の一実施形態による採取装置を使用する採取ツールの例を示している。
【発明を実施するための形態】
【００４６】
５．  本発明の一実施形態の説明
５．１  全体的な原理
本発明の全体的な原理は、動物から組織サンプルを採取するように、切断部材に加えて押し部材を使用することに依拠している。ここでの採取は、識別タグの取付けとは別個独立に行うことができ、又は識別タグの取付けと同時に行うことができる。
【００４７】
すなわち、本発明は、組織サンプルを採取する新規な装置であって、サンプルの採取手段と、サンプルの保存手段とを備え、採取手段が、動物の組織の切断を可能にする切断部材及び切断されたサンプルを保存手段に押し込むことができるように構成された押し部材等、互いに対して移動可能に構成された２つの別個の部材を備えている装置を提案するものである。
【００４８】
動物の組織のサンプル分析によって、例えば、サンプルの細胞の顕微鏡検査又はＤＮＡ配列の抽出に照らして、特に、動物の識別又はこの動物の病気の検出が可能となることが、想定される。
【００４９】
５．２  採取装置
以下では、例えば、動物の耳からサンプルを採取するために使用される本発明の一実施形態を説明する。
【００５０】
Ａ）  採取手段
図２Ａ及び図２Ｂは、この実施形態による採取手段の概略図を示しており、採取手段は、第１に切断部材２１を備え、かつ第２に押し部材２３を備えている。これらの手段は、少なくとも切断部材２１の刃先を覆う着脱式の保護部材２４によって、少なくとも部分的に保護可能となっている。
【００５１】
この保護部材２４は、ユーザの採取装置の取扱時におけるカットの影響を防止し、かつ切断部材の刃を外部の環境から保護するように構成されている。また、必要に応じて押し部材２３の容器に用意される保存料について、外気に対する保護もまた提供する。
【００５２】
消毒剤もまた、例えば、ゲル又は泡の形態で保護部材に備えられてもよい。
【００５３】
さらに、保護部材２４を、生分解性の材料により作製してもよい。これによって、ひとたび保護部材と採取手段とが分離されたならば、ユーザが、この保護部材を、例えば、地面に放ることによって、単純に処分できる一方で、同時に環境も保護されることとなる。
【００５４】
図３に示されるように、切断部材２１を支持体２２に取付けることができる。この支持体２２は、プラスチックにより作製することができ、かつ典型的には、採取クランプの把持部（又は、顎）の内１つに強固（剛体的）に接続された押し棒の端部に着脱可能に取り付けられている。支持体２２は、切断部材２２及び押し部材２３と同じ軸心を有する回転によって生じる表面を有する形状となっている。一変形例によれば、切断部材２１及び支持体２２が、例えば、プラスチック又は金属から一体の部品として形成されている。この場合、切断部材２１及び支持体２２は、一体成形の部材である１つの部品を形成すると想定される。
【００５５】
金属であってよい切断部材２１は刃先２１１を有し、刃先２１１は、連続的な接触動作をするか、又は刻み目若しくは鋸歯状の形状を有している。サンプルを採取するとき、切断部材が、刃先２１１に対応する線に沿って動物の皮膚を切り抜くこととなる。
【００５６】
このような実施形態の一例によれば、切断部材２１が、回転によって生じる円筒形を有するものと想定される。その結果、刃先２１１は、円形の形状を有することとなる。他のより複雑な形状もまた、想定される。
【００５７】
切断部材２１を形成している円筒は、押し部材２３を通すために、その両端で開口し、その結果、この部材２３が、矢印Ｆによって示される方向に沿ってサンプルを切断部材２１から押し出し、かつ保存手段に送ることができる。
【００５８】
図４Ａ（断面図）及び図４Ｂは、矢印Ｆによって示される方向に沿って切断部材２１の内部で回転によって生じる軸心Ａ−Ａに沿って平行移動可能である押し部材２３を、さらに正確に示した図である。
【００５９】
図示の実施形態の一例によれば、押し部材２３もまた、回転によって生じる円筒形の形状を有している。しかしながら、押し部材２３を切断部材２１によって形成される円筒の内側でスライド可能とするように、押し部材２３の直径は切断部材２１の直径よりも小さくなければならない。
【００６０】
押し部材２３を形成している円筒は、両端又は両底において少なくとも部分的に閉じられている。
【００６１】
すなわち、押し部材２３の第１の端部２３１が、押し部材２３を切断部材２１の内部で移動させるように力を加えることができる剛体的な支え面を有している。例えば、この力は、サンプル採取クランプの押し棒を形成する部材によって加えられる。
【００６２】
サンプルと接触するように構成された押し部材２３の第２の端部２３２は、説明される実施形態によれば、透過性の壁、すなわち、不浸透性でない壁を有している。
【００６３】
この壁は、多くの役割を果たすこととなる。まず第１に、サンプルが切断部材によって切り取られた後で、サンプルを保存手段へと押すことによってサンプルの取り出しを可能にする。そのため、サンプルが動物から完全に分離されて、繊維又は毛によって動物に付着したままとなることが防止される。このことによって、サンプル採取の作業において、サンプルがほぼ確実な採取されて、採取の効率が向上することとなる。
【００６４】
さらに、保存料を、押し部材２３の容器２３４に用意することができる。次いで、壁の浸透性により、保存料がサンプルに直接触れることを防止しながら、この保存料をサンプルに対して作用させることができる。
【００６５】
乾燥剤が、特に、サンプルに含まれる水を吸収することによって、サンプルの保存状態を改善させることができる。この乾燥剤は、例えば、シリカゲル（登録商標）であり、より一般的には分子ふるい（molecular screen）となっている。そのため、シリカ、粘土等を主体とし、ビーズ、粉末、ゲル、固体、液体等の形態をとり、かつ多くの場合において泡の状態で含浸されるさまざまな種類の製品が、使用可能である。
【００６６】
図４Ｂに示されるように、押し部材の第２の端部２３２に位置する壁は、例えば、十字の形状であってもよい。硬質であるか、可撓性であるか、弾性的であるか、布地により作製されるか、１つ以上の十字若しくは１つ以上の孔等を有するように穿孔された等である膜、ふるい、又は仕切り等のように、他の種類の壁も想定される。この壁は、サンプルを切断部材２１から押し出すために使用可能であり、かつ容器２３４に保存料が用意される場合にこのような保存料をサンプルに作用させることができれば、十分な機能を発揮するものである。
【００６７】
押し部材２３を切断部材２１に案内するために、一方（すなわち、切断部材２１及び／又は切断部材２１の支持体２２）と、他方（すなわち、押し部材２３）とが、相補的なスライド案内手段を備えている。
【００６８】
例えば、押し部材２３が、切断部材２１及び押し部材２３の回転の軸心に平行な１つ以上のガイド溝を備えている。やはり、押し部材２３のスライドを案内すべく、回転の軸心に平行である切断部材２１及び／又は切断部材２１の支持体２２の１つ以上の帯片（strip）を、これらの溝に挿入することができる。これらの帯片は、支持体２２を形成する回転によって生じる表面の内面に局在し、さらには／あるいは、切断部材２１を形成する中空円筒の内面に局在している。これらの帯片は、サンプルの切断を妨げないよう、切断部材２１の刃先までは延びていないと好ましい。
【００６９】
このように、動物の耳を通過しそうな押し部材２３が、切断部材２１の支持体２２によって保護されることを、見て取ることができる。従って、ユーザが、この切断部材２３を取り扱う必要がなく、その結果、切断部材の汚染又はサンプルの汚染の恐れが防止されることとなる。また、リング又は中央に孔が開けられたフード等、押し部材２３を支持体２２の内部に保持することができる手段を、支持体２２に追加することもまた可能である。
【００７０】
Ｂ）  保存手段
図５は、この実施形態による保存手段の断面図を示しており、保存手段は、第１に少なくとも１つの開口を有するサンプル管５１を備え、かつ第２に管上側部材５２を備えている。
【００７１】
サンプル管の形状を、例えば、２４、４８、又は９６の位置を備えている「ラック」式のサンプル管支持具と互換性を有するように形成することが、想定される。
【００７２】
この種類の管上側部材５２は、例えば、クリッピング又は嵌込みによってサンプル管の入口に取り付けられており、管の首部に挿入することを容易にするために、例えば、ゴム等、可撓材料で製作することが可能である。
【００７３】
より具体的には、管上側部材５２が、中央に開口を有するフード（hood、頭巾）の形態となっており、このような開口は、押し部材２３の少なくとも一部分を挿入可能とするように十分な直径を有している。このフードに可撓材料を使用することもまた、押し部材２３を管５１に挿入することを容易にする。その結果、押し部材２３が、管５１を不浸透の状態又はほぼ不浸透の状態で封じることとなる。
【００７４】
さらに、管上側部材５２は、サンプル管５１の縁に当接するフランジを有している。このようなフランジを用いることによって、特に、フードの配置及び取り外しを容易にすることができる。ひとたびサンプルが採取され、押し部材２３が少なくとも部分的に管上側部材５１の中央の開口に挿入されると、実際に、サンプルを分析するために、フランジを把持することによって、管上側部材５２及び押し部材２３を単一のユニットとして引き戻すことができる。このように、組織のサンプルだけを管５１内に残すように管上側部材を取り外し可能にするサンプル管５１の開放のための工程を、自動化することができる。
【００７５】
図６に示されるように、フランジは、組織サンプルをより容易に切断できるように、サンプル採取の際に切断部材２１の刃先を傾斜可能とするストッパ面（又は、障害部分）もまた定めている。この技術は、動物の毛の効率的な切断をもたらすこととなる。このようにして、毛が管の閉鎖を妨げることがなく、その結果、従来技術と比べ、より良好な管の不浸透性がもたらされることとなる。
【００７６】
次いで、図７に示されるように、押し部材２３が、このように切断されたサンプル５３を管５１の中に押し、管上側部材５２に挿入されることによって動き続ける。このようにして、例えば、押し込みによって管上側部材５２に強固に結合した押し部材２３が、管５１を気密又はほぼ気密に封じている。
【００７７】
別の実施形態によれば、サンプル管５２を、図２Ｂによる保護部材２４として使用することができる。
【００７８】
５．３  サンプル採取ツール
上述した採取装置を使用して組織サンプルを採取するために使用することができるサンプル採取ツールの一例を、以下に説明する。
【００７９】
このようなツールは、一般的に、任意の不特定の性質の２つのアーム又はハンドルを有し、その少なくとも一方がヒンジで接続されたクランプの形状を有している。これらのアームが、２つの把持部又は顎に対して作用することとなる。採取手段が、一方の把持部の押し棒形成部材に取付けられ、保存手段が、他方の把持部に取付けられている。
【００８０】
例えば、手で動かすことができる可動アームが、サンプル採取手段により動物の肉を貫き、かつ採取されたサンプルを保存手段に押し込むように、サンプル採取手段を平行移動の動きにて案内するような方法で、押し棒形成部材の駆動手段に作用する。また、クランプを、電気、空気、又は他の形態のエネルギによって作動させることも可能である。従って、サンプル採取手段及び保存手段は、このようなツールと協働するように構成されている。より具体的には、切断部材及び押し部材が、クランプの動作によって互いに対して移動するように構成されている。
【００８１】
図示の一例では、第１のピンが、耳を穿刺する切断部材又は当該切断部材の支持体に平行移動の動作を伝達し、次いで、第２のピンが、切断されたが依然として切断部材に位置する組織サンプルを押してサンプル管内に置くために、押し部材に平行な平行移動の動作を伝達する二連ピン機構が提案されている。従って、耳を貫く切断部材及び押し部材の経路は、直線的となっている。これら２つの動作は、クランプに対するユーザのただ１つの操作によって制御されている。
【００８２】
図８Ａ、図８Ｂ、図８Ｃ、及び図８Ｄは、このようなクランプについて、サンプル採取の種々の段階における顎を、さらに正確に示している。
【００８３】
図８Ａに示されている初期状態において、本発明のこの実施形態による採取手段は、支持体２２に取付けられた切断部材２１と、押し部材２３とを、クランプの把持部の押し棒形成部材に取り付けた状態で備えている。このような押し棒形成部材は、例えば、第１の押し棒８１及び第２の押し棒８２と称される２つの押し棒と、バネ８３とを備えている。２つの押し棒８１及び８２については、一方が他方においてスライドすることとなる。
【００８４】
この実施形態による保存手段は、管５１及び管上側部材５２を備えており、かつクランプの他方の把持部において、例えば、管支持具に取り付けられている。
【００８５】
従って、クランプのいかなる構成要素もまた、採取されたサンプルに直接触れることがない。
【００８６】
保護部材２４がサンプル採取手段の切断部材２１を保護している場合には、採取作業の前に保護部材２４を取り外さなければならない。
【００８７】
次いで、ユーザは、クランプの把持部を、動物（例えば、動物の耳８４）のサンプル採取領域の両側に取付けることができる。
【００８８】
次いで、ユーザは、図８Ｂに示されるように、採取手段を平行移動の動作にて案内するために、押し棒形成部材を駆動するための手段を操作して、クランプを作動させることができる。その結果、切断部材２１の刃先がストッパ面又は障害部分を定めている管上側部材５２のフランジに支持されるまで、切断部材２１が、第１の押し棒８１によって駆動されて動物の耳８４を通過する。このようにして、切断部材２１が、切断部材２１によって定められる中空円筒の内側に位置する動物の耳の組織のサンプル５３を切り抜くことを可能にする。換言すると、切断部材２１がポンチのように機能することとなる。
【００８９】
切断部材２１の刃先が管上側部材のフランジに当接するとき、切断部材２１の移動が止められる。次いで、長さ調整済みのバネ８３が、圧縮され始める。このバネ８３の圧縮により、第２の押し棒８２が駆動され、第１の押し棒８１の内側で案内されて平行移動する。その結果、押し具２３が、第２の押し棒８２によって駆動され、切断部材２１の内側で案内されて平行移動することとなる。押し部材２３は、切断部材２１によってすでに切断されたサンプル５３に接すると、前進を続けて、サンプル５３を管５１へと押す。換言すると、押し部材２３が、切断部材２１によって切り抜かれた組織サンプルの取り出しを可能にする。
【００９０】
このように、押し棒へと動作を伝達する機構を、ストリッパがサンプル採取手段を支えるストリッピングシステムとして、見ることができる。このようなシステムでは、第１の押し棒８１が切断手段の外周の部材に圧力を作用させ、第２の押し棒が採取手段の中央の部材に圧力を作用可能にする。採取手段の外周の部材が、例えば、支持体２２又は切断部材２１の内で切断部材２１の刃先とは反対側の端部によって形成されるリングに相当する。サンプル採取手段の中央の部材は、例えば、押し部材２３の支え面２３１に相当する。
【００９１】
図８Ｃに示されるとおり、押し部材２３は、管上側部材５２にはまり込んで前進を終え、従って管５１を気密又はほぼ気密に封じて前進を終える。このように、押し部材２３は、保存手段のための栓の機能も果たすこととなる。
【００９２】
さらに、押し部材２３に保存料が存在するため、管５１に配置されたサンプル５３を、数日から数年までの範囲の期間にわたって乾燥させて保存することができる。
【００９３】
ひとたび保存手段が、栓のように機能する押し部材２３によって閉じられると、ユーザは、クランプのアームへと加える作用を緩めることができる。
【００９４】
図８Ｄに示されるとおり、サンプル５３を含んで押し部材２３によって封じられたサンプル管５１は、クランプの一方の把持部の管支持具に取り付けられたままの状態となる。
【００９５】
切断部材２１及び当該切断部材２１の支持体２２を取り付けた第１の押し棒８１は、クランプの他方の把持部において元の位置に復帰する。実際、この実施形態において、押し棒形成部材は、押し部材２３を管上側部材５２に取り付けられたままにしながら、切断部材を初期の位置へと戻すために、切断部材２１を保持するための手段を備えている。
【００９６】
次いで、ユーザは、例えば、ユーザが汚れた切断部材２１に触れたり、カットの影響を受ける恐れを冒したりすることがないように、排出機構を作動させることによってクランプから切断部材２１及び当該切断部材２１の支持体２２を取り外すことができる。この排出は、ユーザがクランプのアームへと加える作用を緩めたときに初期の位置に復帰する際に、自動的に実施されてもよい。
【００９７】
また、ユーザは、サンプル管５１を取り外し、この管内に組織のサンプルが存在することを視覚によって確認することができる。この目的のため、管の少なくとも一部分が透明となっている。
【００９８】
次いで、ユーザは、これらの工程を別の動物について繰り返すことができ、又は管にサンプルが存在しない場合には、同じ動物について繰り返すことができる。
【００９９】
サンプル管を、例えば、コンピュータにとって読み取り可能なマトリクス又は符号の形態である動物の識別番号で特定することが好ましいことに、注目することができる。これは、特に、管内に含まれるサンプルの分析の際に符号又はマトリクスを読み取ることによって、サンプル採取作業の自動処理を可能にする。
【０１００】
特に、サンプル採取装置と、１つ以上の識別タグ（例えば、視覚及び／又は電子識別タグ）とを含むセットを、ユーザに提供することが可能である。
【０１０１】
このセットの構成要素の各々が、同じ情報をおそらくは異なる形態（例えば、識別番号、バーコード、又はマトリクスコードの形態）に符号化して有することによって同じ動物を特定するための識別子を有する。すなわち、これらの識別子は、相互に関連付けられている。
【０１０２】
例えば、電子及び視覚識別タグ（例えば、耳標）が、同じ識別番号を保有し、サンプル採取装置が、この識別番号を表わすバーコード又はマトリクスコードを保有する。
【０１０３】
このような方法において、サンプル採取装置若しくは視覚識別タグに存在し、又は同じセットの電子識別タグによって再び保有される識別子を単に読み取ることによって動物を指定してデータベースに情報を入力し、及び／又はデータベースを参照することは、これらすべての識別子による同じ動物の特定を可能にするので、ユーザ（例えば、畜産家）にとって容易なものとなっている。
【０１０４】
さらに、同じ動物に関連付けられたすべての識別子（識別番号、バーコード、マトリクスコード等）を、データベースにおいて、これらの識別子の内ただ１つ（例えば、識別番号）を読み取るだけで得ることができる。例えば、動物の識別子のうちの１つを供給者のインターネットサイトにおいて入力することによって、その動物のすべての識別子を入手することができる。
【０１０５】
さらに、動物及び組織採取装置（特に、保存手段）の両方が同じ動物を特定するための識別子を保有しているため、動物の識別子（例えば、動物の識別番号）をデータベースに入力することによって、動物について実施された遺伝分析をより容易に入手することが可能である。
【０１０６】
切断部材が動物の組織を切り抜いた後で押し部材が切り抜かれたサンプルを押すように時間的にわずかにずらされている切断部材及び押し部材の平行移動からなる二連の動作が可能なかぎりにおいて、他のサンプル採取ツールを使用することも可能となっている。この時間のずれは、１ナノ秒程度又は１マイクロ秒程度であってよい。
【０１０７】
図示の例において説明したとおり、押し棒に動作を伝達する機構は、ストリッピングシステム（stripping system）であってよい。例えば、第１の押し棒８１を駆動する第１のカムと第２の押し棒８２を駆動する第２のカムとを備えるカムシャフトシステム等、他の機構も想定される。
【０１０８】
別の実施形態においては、上述の技術を、識別タグの同時取付けに組み合わせることができる。好ましくは、この識別タグが、サンプル採取装置の識別子に関連付けられた識別子を保持し、識別子が、同じ情報を符号化した状態で有することによって同じ動物を特定するために使用される構成となっている。
【図１】
0005389939.tif 000002
【図２Ａ】
0005389939.tif 000003
【図２Ｂ】
0005389939.tif 000004
【図３】
0005389939.tif 000005
【図４Ａ】
0005389939.tif 000006
【図４Ｂ】
0005389939.tif 000007
【図５】
0005389939.tif 000008
【図６】
0005389939.tif 000009
【図７】
0005389939.tif 000010
【図８Ａ】
0005389939.tif 000011
【図８Ｂ】
0005389939.tif 000012
【図８Ｃ】
0005389939.tif 000013
【図８Ｄ】
0005389939.tif 000014